(57)【要約】【課題】吊上能力を低下させることなく、ウエイトブロックの高さを低減するクレーン及びそのアダプタを提供しようとするクレーン及びそのアダプタを提供する。【解決手段】ウエイトブロック１６を搭載するウエイトベース１５を旋回体の旋回フレーム後側に着脱し得るように、前記旋回フレーム３にフレーム側着脱部１７を備えると共に、前記ウエイトベース１５にウエイト側着脱部２４を備えるクレーンであって、  前記旋回フレーム３と前記ウエイトベース１５との間にアダプタ３２を配置可能にし、該アダプタ３２は、フレーム側着脱部１７へ着脱可能にする第一着脱部３５と、ウエイト側着脱部２４を着脱可能にする第二着脱部３６とを備える。【選択図】図５
2012126497.tif 000002
【特許請求の範囲】
【請求項１】
ウエイトブロックを搭載するウエイトベースを旋回体の旋回フレーム後側に着脱し得るように、前記旋回フレームにフレーム側着脱部を備えると共に、前記ウエイトベースにウエイト側着脱部を備えるクレーンであって、
前記旋回フレームと前記ウエイトベースとの間にアダプタを配置可能にし、該アダプタは、フレーム側着脱部へ着脱可能にする第一着脱部と、ウエイト側着脱部を着脱可能にする第二着脱部とを備えたことを特徴とするクレーン。
【請求項２】
前記アダプタの第一着脱部は、フレーム側着脱部に係止されるアダプタ側係止材を備えると共に、前記アダプタの第二着脱部は、ウエイト側着脱部を係止するアダプタ側支持プレートを備えたことを特徴とする請求項１に記載のクレーン。
【請求項３】
前記フレーム側着脱部は、ウエイト側着脱部または第一着脱部を係止し得るフレーム側支持プレートを備えたことを特徴とする請求項１又は２に記載のクレーン。
【請求項４】
前記ウエイト側着脱部は、フレーム側着脱部または第二着脱部に係止されるウエイト側係止材を備えたことを特徴とする請求項１〜３のいずれかに記載のクレーン。
【請求項５】
前記アダプタは、旋回フレームの横面に支持される第一受け面を備えると共に、ウエイトベースの横面を受け止める第二受け面を備えたことを特徴とする請求項１〜４のいずれかに記載のクレーン。
【請求項６】
前記アダプタにウエイトを備えたことを特徴とする請求項１〜５のいずれかに記載のクレーン。
【請求項７】
ウエイトブロックを搭載するウエイトベースを旋回体の旋回フレーム後方に着脱し得るように、前記旋回フレームにフレーム側着脱部を備えると共に、前記ウエイトベースにウエイト側着脱部を備えるクレーンに対し、前記旋回フレームと前記ウエイトベースとの間に配置し得るアダプタであって、
前記旋回フレームのフレーム側着脱部へ着脱可能にする第一着脱部と、前記ウエイトベースのウエイト側着脱部を着脱可能にする第二着脱部とを備えたことを特徴とするアダプタ。
【発明の詳細な説明】
【技術分野】
【０００１】
本発明は、クレーン及びそのアダプタに関するものである。
【背景技術】
【０００２】
クレーンの一例であるクローラクレーンは、図１４に示す如くクローラを有する走行体１と、該走行体１の上部に旋回自在に設置された旋回体２とを備えており、旋回体２は、下部を旋回フレーム３により構成し、旋回フレーム３の上部には、運転席４と、前方で起伏自在に配置されるブーム５とが備えられている。
【０００３】
ブーム５は、旋回フレーム３上のブーム起伏用ドラム６に巻取り・繰出し可能に掛け回された起伏索７により起伏可能になっており、またブーム５の先端から荷を吊るために吊り下げられた主フック８は、旋回フレーム３上の昇降用ドラム９に巻取り・繰出し可能に掛け回された巻上索１０により昇降可能になっている。
【０００４】
旋回フレーム３の後部には起伏用フレーム１１が配置されており、起伏用フレーム１１は、旋回フレーム３の後方側に立設した垂直フレーム１２と、旋回フレーム３の前方側から垂直フレーム１２上端側へ向けて斜め方向へ延在し且つ上端が垂直フレーム１２の上端に接続された傾斜フレーム１３とを備えている。
【０００５】
旋回フレーム３の後方には、ブーム５の重量や吊り荷（図示せず）の重量とのバランスを取るようにカウンタウエイト１４が配置されており、カウンタウエイト１４は、旋回フレーム３の後方に配置されるウエイトベース１５と、ウエイトベース１５の上部に積載される複数（図１４では６本）のウエイトブロック１６等とを備えている。ここでウエイトブロック１６は、クレーンの前後方向に向かって左右両側に位置するようにウエイトベース１５の両側に積載されており、上下に積載されたウエイトブロック１６は、上下方向に形成された貫通孔（図示せず）にピン（図示せず）を通してウエイトベース１５に固定されている。
【０００６】
尚、前述の如きクレーンの一般的技術水準を示すものとしては、例えば、特許文献１がある。
【先行技術文献】
【特許文献】
【０００７】
【特許文献１】特開２００７−３１００５号公報
【発明の概要】
【発明が解決しようとする課題】
【０００８】
しかしながら、ウエイトベース１５に積載されるウエイトブロック１６は、ブーム５の吊上能力に対応して重量を確保するように高い位置まで積載されるため、高いウエイトブロック１６の周囲で作業する作業員に圧迫感を与えると共に、エンジン等の振動によるウエイトブロック１６の揺れを生じ、作業員へウエイトブロック１６落下の恐怖感を与えるという問題があった。またウエイトブロック１６の個数を減らしてウエイトブロック１６の高さを低減する場合には、ブーム５の吊上能力に対応して重量を確保することができず、ブーム５の吊上能力が低下するという問題があった。
【０００９】
本発明は、斯かる実情に鑑み、吊上能力を低下させることなく、ウエイトブロックの高さを低減するクレーン及びそのアダプタを提供しようとするものである。
【課題を解決するための手段】
【００１０】
本発明のクレーンは、ウエイトブロックを搭載するウエイトベースを旋回体の旋回フレーム後側に着脱し得るように、前記旋回フレームにフレーム側着脱部を備えると共に、前記ウエイトベースにウエイト側着脱部を備えるクレーンであって、
前記旋回フレームと前記ウエイトベースとの間にアダプタを配置可能にし、該アダプタは、フレーム側着脱部へ着脱可能にする第一着脱部と、ウエイト側着脱部を着脱可能にする第二着脱部とを備えたものである。
【００１１】
本発明のクレーンにおいて、前記アダプタの第一着脱部は、フレーム側着脱部に係止されるアダプタ側係止材を備えると共に、前記アダプタの第二着脱部は、ウエイト側着脱部を係止するアダプタ側支持プレートを備えることが好ましい。
【００１２】
本発明のクレーンにおいて、前記フレーム側着脱部は、ウエイト側着脱部または第一着脱部を係止し得るフレーム側支持プレートを備えることが好ましい。
【００１３】
本発明のクレーンにおいて、前記ウエイト側着脱部は、フレーム側着脱部または第二着脱部に係止されるウエイト側係止材を備えることが好ましい。
【００１４】
本発明のクレーンにおいて、前記アダプタは、旋回フレームの横面に支持される第一受け面を備えると共に、ウエイトベースの横面を受け止める第二受け面を備えることが好ましい。
【００１５】
本発明のクレーンにおいて、前記アダプタにウエイトを備えることが好ましい。
【００１６】
本発明のアダプタは、ウエイトブロックを搭載するウエイトベースを旋回体の旋回フレーム後方に着脱し得るように、前記旋回フレームにフレーム側着脱部を備えると共に、前記ウエイトベースにウエイト側着脱部を備えるクレーンに対し、前記旋回フレームと前記ウエイトベースとの間に配置し得るアダプタであって、
前記旋回フレームのフレーム側着脱部へ着脱可能にする第一着脱部と、前記ウエイトベースのウエイト側着脱部を着脱可能にする第二着脱部とを備えるものである。
【発明の効果】
【００１７】
本発明によれば、旋回フレームとウエイトベースとの間にアダプタを配置した場合には、アダプタによりウエイトフレームを後方へ移設してウエイトブロックの重心を後方へずらすので、積載するウエイトブロックの重量を減らしてバランスをとることが可能となり、よって吊上能力を低下させることなく、ウエイトブロックの高さを低減することができる。そしてウエイトブロックの高さを低減するので、ウエイトブロックの周囲で作業する作業員へ圧迫感を抑制することができると共に、エンジン等の振動によるウエイトブロックの揺れを低減し、作業員へのウエイトブロック落下の恐怖感を抑制することができるという優れた効果を奏し得る。
【図面の簡単な説明】
【００１８】
【図１】本発明を実施する形態例であって旋回体にカウンタウエイトを配置した状態を示す平面図である。
【図２】図１のＩＩ−ＩＩ方向の矢視図である。
【図３】旋回フレームのフレーム側着脱部を示す側面図である。
【図４】カウンタウエイトを示す側面図である。
【図５】本発明を実施する形態例であって旋回体とカウンタウエイトの間にアダプタを配置した状態を示す平面図である。
【図６】本発明を実施する形態例であって旋回体とカウンタウエイトの間にアダプタを配置した状態を示す後面図である。
【図７】図５のＶＩＩ−ＶＩＩ方向の矢視図である。
【図８】アダプタを示す平面図である。
【図９】アダプタを示す後面図である。
【図１０】図８のＸ−Ｘ方向の矢視図である。
【図１１】図８のＸＩ−ＸＩ方向の矢視図である。
【図１２】本発明を実施する形態例のクローラクレーンであって重心の移動を示す概念図である。
【図１３】カウンタウエイトの重心の移動を示す概念図である。
【図１４】従来のクローラクレーンを示す概念図である。
【発明を実施するための形態】
【００１９】
以下本発明の実施の形態例を図面を参照しつつ説明する。
【００２０】
図１〜図１３は本発明を実施する形態例を示すクローラクレーンで、図１４と同一の符号を付した部分は同一物を表わしている。ここで本発明のクレーンは、クローラクレーンに限定されるものではなく、旋回体２の旋回フレーム３及びカウンタウエイト１４を備えるならば、タワークレーン等の他の種類のクレームでも良い。
【００２１】
本発明の形態例のクローラクレーンは、ブーム５の重量や吊り荷（図示せず）の重量とのバランスを取るカウンタウエイト１４を旋回体２の旋回フレーム後側に備えており、旋回フレーム３の後部上面には、図１〜図３に示す如く左右両側に所定の間隔を有して配置されるフレーム側着脱部１７が設置されている。
【００２２】
フレーム側着脱部１７は、左右両側で平行になるように旋回フレーム３の上面から上方向へ延在するフレーム側支持プレート１８を備えている。二枚のフレーム側支持プレート１８は、夫々、後側に後方へ突出した突出部１９を形成し、突出部１９の上辺には、円弧状に切り欠いた切欠き２０を備えている。またフレーム側着脱部１７で切欠き２０の下方位置には、固定ピン２１（図２参照）を挿入し得る挿入孔２２（図３参照）を形成している。更にフレーム側支持プレート１８の上部には、起伏用フレーム１１の垂直フレーム１２を配置している。ここでフレーム側支持プレート１８は、カウンタウエイト１４に対応するならば他の構成でも良いし、二枚以外の他の枚数でも良い。
【００２３】
カウンタウエイト１４は、図１、図２、図４に示す如く旋回フレーム３の後方で平面板状に配置されるウエイトベース１５と、ウエイトベース１５の上部に積載されるウエイトブロック１６を備えており、ウエイトブロック１６は、ウエイトベース１５の上部後方に積載される中央のウエイトブロック１６ａと、ウエイトベース１５の上部で中央のウエイトブロック１６ａの両側に積載される両側のウエイトブロック１６ｂ，１６ｃとを備えている。またウエイトベース１５の上面で両側のウエイトブロック１６ｂ, １６ｃの間には、カウンタウエイト１４を吊上可能にする吊り部２３が備えられており、ウエイトベース１５の前部上面には、旋回フレーム３のフレーム側着脱部１７に対応するように、左右両側に所定の間隔を有して配置されるウエイト側着脱部２４が設置されている。ここで図４中、２５はウエイトブロック１６に対して上下方向に形成された貫通孔、２６に貫通孔２５に挿通するピン、２７はピン２６を固定するナット等の固定部を示している。
【００２４】
ウエイト側着脱部２４は、左右両側に夫々、ウエイトベース１５の上面から上方向へ延在し且つ２枚で１つの脚部を形成するウエイト側脚部プレート２８と、ウエイト側脚部プレート２８により所定の高さ位置で水平に配置されるロッド状のウエイト側係止材２９とを備えている。ウエイト側脚部プレート２８は、前方縁部を、ウエイトベース１５の上面から斜め後側へ延在し更に上方へ延在する形状にし、旋回フレーム３への着脱時に干渉しないようにしている。またウエイト側脚部プレート２８の表面でウエイト側係止材２９の下方位置には、固定ピン２１（図２参照）を挿入し得る挿入孔３０（図４参照）を形成し、ウエイト側脚部プレート２８の挿入孔３０の下方位置には、上部開口を備える箱状の係止部材３１を備えている。箱状の係止部材３１は、固定ピン２１の先端に配したＬ字先端部が固定ピン２１の軸転により内部に位置するように構成され、挿入孔２２，３０からの固定ピン２１の脱落を防止するようにしている。
【００２５】
一方、旋回体２の旋回フレーム３とカウンタウエイト１４のウエイトベース１５との間には、図５、図７に示す如くアダプタ３２を配置可能にしており、アダプタ３２は、図８〜図１１に示す如くウエイトベース１５の左右方向の横幅と同じ幅を有する平面板状のアダプタベース３３と、アダプタベース３３の上面中央から後方へ突出するように配置されるアダプタ側のウエイト３４と、アダプタベース３３の上面両側で前側に位置する第一着脱部３５と、アダプタベース３３の上面両側で後側に位置する第二着脱部３６とを備えている。
【００２６】
アダプタベース３３には、旋回フレーム３の横面３ａに接触し得るプレート状の第一受け面３７を備えると共に、ウエイトベース１５の横面１５ａに接触し得るプレート状の第二受け面３８を備えている。ここでアダプタベース３３は、複数枚のプレートを積層して一枚のプレートにしても良いし、他の部材を組み合わせてプレートにしても良い。
【００２７】
アダプタ側のウエイト３４は、アダプタベース３３の上面で所定の高さを有する体積を備えており、重心位置をウエイト３４の高さ中央より下方に配置している。
【００２８】
アダプタ３２の第一着脱部３５は、フレーム側着脱部１７に対応し得るように、左右両側に夫々、アダプタベース３３の上面から上方向へ延在し且つ２枚で１つの脚部を形成するアダプタ側脚部プレート３９と、アダプタ側脚部プレート３９により所定の高さ位置で水平に配置されるロッド状のアダプタ側係止材４０とを備えている。アダプタ側脚部プレート３９は、前方縁部を、アダプタベース３３の上面から斜め後側へ延在し更に上方へ延在する形状にし、旋回フレーム３への着脱時に干渉しないようにしている。またアダプタ側脚部プレート３９の側面でアダプタ側係止材４０の下方位置には、固定ピン４１（図７参照）を挿入し得る挿入孔４２（図１０参照）を形成し、アダプタ側脚部プレート３９の挿入孔４２の下部には、上部開口を備える箱状の係止部材４３を備えている。箱状の係止部材４３は、固定ピン４１の先端に配したＬ字先端部が固定ピン４１の軸転により内部に位置するように構成され、挿入孔４２からの固定ピン４１の脱落を防止するようにしている。
【００２９】
アダプタ３２の第二着脱部３６は、ウエイト側着脱部２４に対応し得るように、左右両側で平行になるように上方向へ延在するアダプタ側支持プレート４４を備えている。また二枚のアダプタ側支持プレート４４は、夫々、第一着脱部３５のアダプタ側脚部プレート３９に挟み込まれると共に、後方縁部を、アダプタベース３３の上面から斜め後側へ延在し更に上方へ延在する形状にし、カウンタウエイト１４の着脱時に干渉しないようにしている。更に二枚のアダプタ側支持プレート４４は、夫々、後方へ突出した突出部４５を形成し、突出部４５の上辺には、円弧状に切り欠いた切欠き４６を備えている。またアダプタ側支持プレート４４の側面で切欠き４６の下方位置には、固定ピン２１（図７参照）を挿入し得る挿入孔４７（図１０参照）を形成している。
【００３０】
また、アダプタ側脚部プレート３９の上端及びアダプタ側支持プレート４４の上端には、アダプタ側のウエイト３４の上面と連結する連結プレート４８が接続されており、アダプタ３２の第一着脱部３５及び第二着脱部３６とアダプタ側のウエイト３４とは一体化している。更にアダプタ側脚部プレート３９による上部側面には、アダプタ３２を吊り下げ可能にする吊り部４９が配置されている。吊り部４９は、アダプタ３２を吊り下げた際に、アダプタ側係止材４０の前方側が下方へ且つアダプタ側支持プレート４４の後方側が上方へ０．５°以上３°以下、好ましくは１°以上２°以下に傾くように位置設定されている。
【００３１】
次に、上記実施する形態例の作用を説明する。
【００３２】
ウエイトブロック１６の高さを低減する際には、初めに旋回体２の旋回フレーム３からカウンタウエイト１４を取り外した状態にする。カウンタウエイト１４は、構成上、ウエイトベース１５側のウエイト側着脱部２４で旋回フレーム３のフレーム側着脱部１７に係合している場合があることから、フレーム側着脱部１７とウエイト側着脱部２４の係合を取り外す。具体的には、フレーム側支持プレート１８の挿入孔２２及びウエイト側脚部プレート２８の挿入孔３０に挿入した固定ピン２１を引き抜いた後、吊り部２３を介してウエイトベース１５を吊り上げ、フレーム側支持プレート１８の切欠き２０からロッド状のウエイト側係止材２９を持ち上げてフレーム側着脱部１７とウエイト側着脱部２４の係合を取り外す。ここで固定ピン２１は、先端に配したＬ字先端部を固定ピン２１の軸転によって箱状の係止部材３１から取り出すことにより引き抜きが可能となっている。
【００３３】
次に旋回フレーム３にフレーム側着脱部１７及び第一着脱部３５を介してアダプタ３２を配置する。アダプタ３２を配置する際には、アダプタ３２の吊り部４９を介してアダプタ３２を吊り上げ、ロッド状のアダプタ側係止材４０をフレーム側支持プレート１８の切欠き２０へ係合させるように吊り下ろし、更にアダプタ３２の第一受け面３７を旋回フレーム３の横面３ａに接触させ、アダプタ３２をフレーム側支持プレート１８及び旋回フレーム３の横面３ａで支持する。そしてフレーム側支持プレート１８の挿入孔２２及びアダプタ側脚部プレート３９の挿入孔４２に固定ピン４１を挿入して固定し、旋回フレーム３にアダプタ３２を配置する。ここでアダプタ３２を吊り上げた際には、アダプタ側係止材４０の前方側が下方へ傾くことから、アダプタ側係止材４０をフレーム側支持プレート１８の切欠き２０へ容易に係合させることが可能となっている。
【００３４】
続いてアダプタ３２に第二着脱部３６及びウエイト側着脱部２４を介してカウンタウエイト１４を配置する。カウンタウエイト１４を配置する際には、吊り部２３を介してウエイトベース１５を吊り上げ、ロッド状のウエイト側係止材２９をアダプタ側支持プレート４４の切欠き４６へ係合させるように吊り下ろし、更にウエイトベース１５の横面１５ａをアダプタ３２の第二受け面３８に接触させて、カウンタウエイト１４をアダプタ側支持プレート４４及びアダプタ３２の第二受け面３８で支持する。そしてアダプタ側支持プレート４４の挿入孔４７及びウエイト側脚部プレート２８の挿入孔３０に固定ピン２１を挿入して固定し、アダプタ３２にカウンタウエイト１４を配置する。
【００３５】
ここでカウンタウエイト１４にウエイトブロック１６を配置した際には、図１２に示す如くウエイトブロック１６の重心及びクローラクレーンの重心を斜め後方へずらし、ウエイトブロック１６を減らして配置した場合であっても（図１２、図１３では４本）、ブーム５の重量や吊り荷（図示せず）の重量とのバランスを取ってブーム５の吊上能力を維持するようにしている。なお、図１２ではブーム５等のアタッチメントを図示せず、該アタッチメントがない状態でのクローラクレーンの重心を示している。またクローラクレーンの重心は、図１２では明瞭ではないが、クレーン後方へ僅かに移動している。
【００３６】
また実施の形態例では、必要に応じて逆の手順でカウンタウエイト１４、アダプタ３２を取り外し、更に旋回フレーム３にウエイト側着脱部２４及びフレーム側着脱部１７を介してカウンタウエイト１４を係合させても良いし、旋回フレーム３に係合したアダプタ３２に、同じ構造の他のアダプタ３２を、第二着脱部３６及び他の第一着脱部３５により連続的に係合させても良い。
【００３７】
而して、このように実施の形態例によれば、旋回フレーム３とウエイトベース１５との間にアダプタ３２を配置した場合には、アダプタ３２によりウエイトベース１５を後方へ移設してウエイトブロック１６の重心を後方へずらすので、積載するウエイトブロック１６の重量を減らしてバランスをとることが可能となり、よって吊上能力を低下させることなく、ウエイトブロック１６の高さを低減することができる。そしてウエイトブロック１６の高さを低減するので、ウエイトブロック１６の周囲で作業する作業員へ圧迫感を抑制することができると共に、エンジン等の振動によるウエイトブロック１６の揺れを低減し、作業員へのウエイトブロック１６落下の恐怖感を抑制することができる。
【００３８】
ここで、旋回フレーム３とカウンタウエイト１４の間にアダプタ３２を配置した場合には、地面からウエイトブロック１６の高さが従来例に比べて低減する一方で、旋回フレーム３からカウンタウエイト１４までの旋回半径が従来例に比べて増加するが、旋回体２の旋回等に影響を与えるものではない。また実施の形態例の如くウエイトブロック１６を４段にした場合には、従来例のウエイトブロック１６を６段にした場合に比べ、旋回フレーム３からカウンタウエイト１４までの旋回半径が５％以上１５％以下の範囲で増加し、地面からウエイトブロック１６の上端までの高さが１５%以上３０%以下の範囲で低減している。更に具体的には、ウエイトブロック１６を４段にした場合には、従来例のウエイトブロックを６段にした場合に比べ、旋回フレーム３からカウンタウエイト１４までの旋回半径が約１０％増加し、地面からウエイトブロック１６の上端までの高さが約２０％低減している。
【００３９】
また実施の形態例によれば、フレーム側着脱部１７と第二着脱部３６、ウエイト側着脱部２４と第一着脱部３５に構造的及び作用的な互換性を有しているので、旋回フレーム３にアダプタ３２やカウンタウエイト１４を配置したり、更にアダプタ３２に同じ構造の他のアダプタ３２を配置したりすることが可能となり、構成の自由度が極めて高く、クレーンの汎用性を高めることができる。
【００４０】
実施の形態例において、アダプタ３２の第一着脱部３５は、フレーム側着脱部１７に係止されるアダプタ側係止材４０を備えると共に、アダプタ３２の第二着脱部３６は、ウエイト側着脱部２４を係止するアダプタ側支持プレート４４を備えると、アダプタ３２を旋回フレーム３に係止し、更にカウンタウエイト１４をアダプタ３２に係止することを容易にするので、ウエイトベース１５を後方へ簡易に移設してウエイトブロック１６の重心を後方へずらし、吊上能力を低下させることなく、ウエイトブロック１６の高さを低減することができる。
【００４１】
実施の形態例において、フレーム側着脱部１７は、ウエイト側着脱部２４または第一着脱部３５を係止し得るフレーム側支持プレート１８を備えると、旋回フレーム３にアダプタ３２またはカウンタウエイト１４を容易に係止するので、構成の自由度を高めると共に、ウエイトベース１５を後方へ簡易に移設してウエイトブロック１６の重心を後方へずらし、吊上能力を低下させることなく、ウエイトブロック１６の高さを低減することができる。
【００４２】
実施の形態例において、ウエイト側着脱部２４は、フレーム側着脱部１７または第二着脱部３６に係止されるウエイト側係止材２９を備えると、旋回フレーム３またはアダプタ３２を容易に係止するので、構成の自由度を高めると共に、ウエイトベース１５を後方へ簡易に移設してウエイトブロック１６の重心を後方へずらし、吊上能力を低下させることなく、ウエイトブロック１６の高さを低減することができる。
【００４３】
実施の形態例において、アダプタ３２は、旋回フレーム３の横面に支持される第一受け面３７を備えると共に、ウエイトベース１５の横面を受け止める第二受け面３８を備えると、旋回フレーム３とウエイトベース１５との間にアダプタ３２を重量バランス良く配置し得るので、ウエイトベース１５を後方へ簡易に移設してウエイトブロック１６の重心を後方へずらし、吊上能力を低下させることなく、ウエイトブロック１６の高さを低減することができる。
【００４４】
実施の形態例において、アダプタ３２にウエイト３４を備えると、旋回フレーム３からカウンタウエイト１４まで重量バランス良く配置し得るので、ウエイトベース１５を後方へ簡易に移設してウエイトブロック１６の重心を後方へずらし、吊上能力を低下させることなく、ウエイトブロック１６の高さを低減することができる。
【００４５】
尚、本発明のクレーン及びそのアダプタは、上述の実施例にのみ限定されるものではなく、旋回フレームにアダプタを係合し、ウエイトベースとアダプタに構造の互換性があるならばどのような形状でも良いこと、その他、本発明の要旨を逸脱しない範囲内において種々変更を加え得ることは勿論である。
【符号の説明】
【００４６】
２    旋回体
３    旋回フレーム
３ａ    横面
１５    ウエイトベース
１５ａ    横面
１６    ウエイトブロック
１７    フレーム側着脱部
１８    フレーム側支持プレート
２４    ウエイト側着脱部
２９    ウエイト側係止材
３２    アダプタ
３４    ウエイト
３５    第一着脱部
３６    第二着脱部
３７    第一受け面
３８    第二受け面
４０    アダプタ側係止材
４４    アダプタ側支持プレート
【図１】
2012126497.tif 000003
【図２】
2012126497.tif 000004
【図３】
2012126497.tif 000005
【図４】
2012126497.tif 000006
【図５】
2012126497.tif 000007
【図６】
2012126497.tif 000008
【図７】
2012126497.tif 000009
【図８】
2012126497.tif 000010
【図９】
2012126497.tif 000011
【図１０】
2012126497.tif 000012
【図１１】
2012126497.tif 000013
【図１２】
2012126497.tif 000014
【図１３】
2012126497.tif 000015
【図１４】
2012126497.tif 000016